(57)【要約】【課題】  表示タイミング及び検出タイミングを適応的に制御する電子機器、アプリケーション動作デバイス、電子機器の制御方法を提供することを目的とする。【解決手段】  本実施形態によれば、電子機器は、センサに操作入力を与えるための操作面と、画像の表示面とを一体に備えたセンサ一体型表示パネルと、前記センサ一体型表示パネルに表示用信号及び前記センサの駆動信号を入力し、前記センサからのセンサ出力を受け取るデータ転送デバイスと、前記表示用信号の元となる表示データを時分割してデータ転送デバイスに送信すると共に、時分割された前記表示データのブランキング期間中に前記駆動信号を前記センサ一体型表示パネルに入力させるためのタイミング情報をデータ転送デバイスに送信するアプリケーション動作デバイスと、を有する。【選択図】図５Ａ
2014199495.tif 000002
【特許請求の範囲】
【請求項１】
センサに操作入力を与えるための操作面と、画像の表示面とを一体に備えたセンサ一体型表示パネルと、
前記センサ一体型表示パネルに表示用信号及び前記センサの駆動信号を入力し、前記センサからのセンサ出力を受け取るデータ転送デバイスと、
前記表示用信号の元となる表示データを時分割してデータ転送デバイスに送信すると共に、時分割された前記表示データのブランキング期間中に前記駆動信号を前記センサ一体型表示パネルに入力させるためのタイミング情報をデータ転送デバイスに送信するアプリケーション動作デバイスと、
を有する電子機器。
【請求項２】
前記アプリケーション動作デバイスは、前記表示データを前記データ転送デバイスと接続するバスに出力するとともに、前記バスを介して、前記表示用信号のブランキング期間に前記センサ出力に基づくデータを受け取る、請求項１記載の電子機器。
【請求項３】
センサに操作入力を与えるための操作面と、画像の表示面とを一体に備えたセンサ一体型表示パネルと、前記センサ一体型表示パネルに表示用信号及び前記センサの駆動信号を入力し、前記センサからのセンサ出力を受け取るデータ転送デバイスとを備えるディスプレイモジュールに対して、前記表示用信号の元となる表示データを時分割して前記データ転送デバイスに送信すると共に、時分割された前記表示データのブランキング期間中に前記駆動信号を前記センサ一体型表示パネルに入力させるためのタイミング情報をデータ転送デバイスに送信する送信部と、
前記データ転送デバイスから前記センサ出力のデータを受信する受信部と、
を備える、アプリケーション動作デバイス。
【請求項４】
センサに操作入力を与えるための操作面と、画像の表示面とを一体に備えたセンサ一体型表示パネルと、前記センサ一体型表示パネルに表示用信号及び前記センサの駆動信号を入力し、前記センサからのセンサ出力を受け取るデータ転送デバイスと、を備える電子機器の制御方法において、
前記表示用信号の元となる表示データを時分割してデータ転送デバイスに送信し、
時分割された前記表示データのブランキング期間中に前記駆動信号を前記センサ一体型表示パネルに入力させるためのタイミング情報をデータ転送デバイスに送信する、
制御方法。
【発明の詳細な説明】
【技術分野】
【０００１】
この発明の実施形態は電子機器、アプリケーション動作デバイス、電子機器の制御方法に関する。
【背景技術】
【０００２】
携帯電話、タブレット、パーソナルデジタルアシスタント（ＰＤＡ）、及び小型の携帯用パーソナルコンピュータなどが普及している。これら電子機器は、表示パネルと一体となった操作入力パネルを有する。
【０００３】
操作入力パネルは、ユーザが表示面上に触れたとき、触れた位置を、例えば静電容量の変化として検出する。検出信号は、操作入力パネルのために専用に設計され、集積回路（ＩＣ）化されたタッチ信号処理ＩＣに入力される。タッチ信号処理ＩＣは、前記検出信号を予め用意した計算アルゴリズムで処理し、ユーザが触れた位置を座標データに変換して出力している。
【先行技術文献】
【特許文献】
【０００４】
【特許文献１】特開２０１２−４８２９５号公報
【発明の概要】
【発明が解決しようとする課題】
【０００５】
製造技術の進歩とともに、表示パネルの解像度は高解像度化し、また表示パネルの大型化も進んでいる。表示パネルの高解像度化や大型化に伴い、操作入力パネルの位置検出精度も高精細化が要求されている。また、アプリケーションによっては、操作入力パネルの操作入力に対するデータ処理速度も高速化が要求されている。また、アプリケーションを容易に変更できる方式の装置が要望されている。
【０００６】
そこでこの発明に係る一実施形態では、表示タイミング及び検出タイミングを適応的に制御する電子機器、アプリケーション動作デバイス、電子機器の制御方法を提供することを目的とする。
【課題を解決するための手段】
【０００７】
本実施形態によれば、電子機器は、センサに操作入力を与えるための操作面と、画像の表示面とを一体に備えたセンサ一体型表示パネルと、前記センサ一体型表示パネルに表示用信号及び前記センサの駆動信号を入力し、前記センサからのセンサ出力を受け取るデータ転送デバイスと、前記表示用信号の元となる表示データを時分割してデータ転送デバイスに送信すると共に、時分割された前記表示データのブランキング期間中に前記駆動信号を前記センサ一体型表示パネルに入力させるためのタイミング情報をデータ転送デバイスに送信するアプリケーション動作デバイスと、を有する。
【図面の簡単な説明】
【０００８】
【図１】一実施形態による電子機器のブロック構成図である。
【図２Ａ】表示面又は表示パネルと操作面又は操作入力パネルを一体に有したセンサ一体型表示デバイスを説明するために示した断面図である。
【図２Ｂ】静電容量型センサの駆動信号と検出信号との一例を示す図である。
【図３】操作入力パネルのセンサ構成部品とその駆動方法を説明するために示した斜視図である。
【図４】図１に示すデータ転送デバイスのブロック構成例及びアプリケーション動作デバイスの各種アプリケーションにより実現される機能の幾つかの例をブロック化して示す図である。
【図５Ａ】図１及び図４のドライブから出力される表示用の信号とセンサ用検出電極の駆動信号との出力タイミングの例を示す図である。
【図５Ｂ】センサ用検出電極の駆動信号の出力と共通電極との駆動状態を説明するために示した模式図である。
【図６】他の実施形態を示すブロック構成図である。
【図７】操作入力が無い場合のセンサ出力の生データ（検出データ）をグラフ化した一例を示す模式図である。
【図８】操作入力が有った場合のセンサ出力の生データ（検出データ）をグラフ化した一例を示す模式図である。
【発明を実施するための形態】
【０００９】
以下、実施の形態について図面を参照して説明する。図１には、一実施形態が適用された携帯端末（電子機器）１を示している。センサ一体型表示デバイス１００は、画像の表示面（又は表示パネル）とセンサに操作入力を与えるための操作面（又は操作入力パネル）を一体に有し、そのために表示素子構成部品１１０、及びセンサ構成部品１５０を有する。
【００１０】
このセンサ一体型表示デバイス１００には、後述するドライバー２１０から表示用信号（又は画素信号）が供給される。そしてドライバー２１０からゲート信号が供給されると、表示素子構成部品１１０の画素に対して画素信号が書き込まれる。この画素信号に応じて、画素電極と共通電極間の電圧が決まり、この電圧により電極間の液晶分子が変位し、液晶分子の変位に応じた輝度が得られる。
【００１１】
センサ一体型表示デバイス１００の呼び名は、これに限定されるものではなく、入力センサ一体型表示部、ユーザインターフェースなどと称してもよい。
【００１２】
表示素子構成部品１１０は、液晶表示パネル、ＬＥＤ、有機ＥＬなどの発光素子による表示部を採用してもよい。表示素子構成部品１１０は、単純にディスプレイと称されてもよい。センサ構成部品１５０は、静電容量変化検知方式である。センサ構成部品１５０はタッチ入力、ジェスチャーなどを検出するためのパネルと称されてもよい。
【００１３】
センサ一体型表示デバイス１００は、データ転送デバイス２００を介してアプリケーション動作デバイス（アプリケーションプロセッサ）３００に接続される。なお、アプリケーション動作デバイス３００は、携帯電話等の電子機器内に組み込まれている、たとえば半導体集積回路（ＬＳＩ）であって、ＯＳ等のソフトウェアによってＷｅｂブラウジングやマルチメディア処理などの複数の機能処理を複合的に実行する役割を持つものである。これらアプリケーション動作デバイス３００は、高速な演算処理を行うもので、デュアルコア、あるいはＱｕａｄ−Ｃｏｒｅのものであってもよい。動作速度としてたとえば５００ＭＨｚ以上、より好ましくは１ＧＨｚのものが好適である。
【００１４】
データ転送デバイス２００は、ドライバー２１０、センサ信号検出器２５０を有する。ドライバー２１０は、基本的には、アプリケーション動作デバイス３００から転送されてくるグラフィックスデータ（表示データ）を表示素子構成部品１１０に入力する。また、センサ信号検出器２５０は、センサ構成部品１５０から出力されるセンサ出力を検出する。
【００１５】
ドライバー２１０とセンサ信号検出器２５０は、相互に同期動作するもので、同期制御は、アプリケーション動作デバイス３００の制御に基づいている。
【００１６】
ドライバー２１０は、アプリケーションに基づいて、表示構成素子構成部品１１０に表示用信号ＳｉｇＸ（グラフィックスデータがアナログ変換された信号）を供給する。さらにドライバー２１０は、センサ信号検出器２５０からのタイミング信号に基づいて、センサ構成部品１５０を走査するための駆動信号Ｔｘを出力する。この駆動信号Ｔｘに同期してセンサ構成部品１５０からセンサ出力Ｒｘが読み出され、このセンサ出力Ｒｘはセンサ信号検出器２５０に入力する。
【００１７】
センサ信号検出器２５０は、センサ出力を検出し、ノイズ除去し、生の読み取りイメージデータ（３次元イメージデータと称することができる）としてアプリケーション動作デバイス３００に入力する。
【００１８】
つまり、データ転送デバイス２００は、センサ一体型表示パネル１００に表示用信号ＳｉｇＸ及びセンサの駆動信号Ｔｘを入力し、センサからのセンサ出力を受け取る。
【００１９】
センサ構成部品１５０が容量検出方式である場合、イメージデータは、単純に座標を表す２次元データではなく、容量の大きさに応じて異なる多値（２ビット以上の例えば３値−７値）を持つことができる。したがって、このイメージデータは、物理量と座標を含む３次元データと称することができる。対象物（例えばユーザの指先）とタッチパネルとの遠近に応じて容量の変化があるので、この変化を物理量の変化として捕らえることができる。
【００２０】
上記したようにデータ転送デバイス２００のセンサ信号検出器２５０が、イメージデータを直接、アプリケーション動作デバイス３００に提供する理由は以下の理由に基づいている。
【００２１】
まずアプリケーション動作デバイス３００は、その高速演算機能を活かして、イメージデータを各種の用途に用いることができる。
【００２２】
アプリケーション動作デバイス３００においては、ユーザからの種々の要望に応じて、新しい種々のアプリケーションが適用される。新しいアプリケーションは、データ処理内容に応じて、イメージデータの処理方法、読み出し（または検出）タイミング、読み出し（または検出）フォーマット、読み出し（または検出）領域または、読み出し（または検出）密度などの変化や切り替え望む場合がある。
【００２３】
このような場合、従来の装置のように座標データのみを受け取ると、その取得情報量が制約される。しかし、この装置のように生の３次元イメージデータを解析すると、例えば座標位置情報のほかに、遠近情報も得ることができる。
【００２４】
さらに、アプリケーションによる各種機能の拡張性を得るために、データ転送デバイス２００は、アプリケーション制御に基づく各種の動作に容易に追従できることが望ましい。そこで、データ転送デバイス２００は、できるだけシンプルな機能として、アプリケーション制御に応じて、センサ出力の読み取りタイミング、読み取り領域、読み取り密度などを任意に切り替え可能な構造としている。この点は、後でも説明する。
【００２５】
アプリケーション動作デバイス３００は、送信部、受信部、グラフィックスデータ生成部、無線機インターフェース、カメラ機能インターフェースなどをも含むことができる。
【００２６】
図２Ａには、表示素子構成部品１１０とセンサ構成部品１５０とが一体となった、センサ一体型表示デバイス１００、つまり表示パネルと操作入力パネルが一体化した表示装置の基本的な断面構造を示している。
【００２７】
薄膜トランジスタ（ＴＦＴ）基板１１上に、共通電極１３、さらに絶縁層を介して画素電極１２が形成され、画素基板１０が構成されている。画素基板１０対して、液晶層３０を挟んで、対向基板２０が画素基板１０と平行に配置されている。対向基板２０は、液晶層側から順次カラーフィルタ２２、ガラス基板２３、センサ用検出電極２４、偏光板２５が配置されて構成されている。
【００２８】
共通電極１３は、表示用の共通駆動電極でもあるが、センサ用駆動電極（或いはセンサの共通駆動電極）としても機能する。
【００２９】
図２Ｂは、静電容量型センサの駆動信号と検出信号との一例を示す図である。静電容量型センサは、誘電体を挟んで互いに対向配置された一対の電極（共通電極１３およびセンサ用検出電極２４）を備え、第１容量素子を構成する。
【００３０】
第１容量素子は、その一端が交流信号源に接続され、他端は図１に示すセンサ信号検出器２５０に接続される。交流信号源から共通電極１３（容量素子の一端）に所定の周波数（例えば数ｋＨｚ〜数百ｋＨｚ程度）の交流矩形波（駆動信号Ｔｘ）を印加すると、センサ用検出電極２４（第１容量素子の他端）に、図２Ｂに示したような出力波形（センサ検出値Ｒｘ）が現れる。
【００３１】
指を接触していない状態では、第１容量素子に対する充放電に伴って、第１容量素子の容量値に応じた電流が流れる。このときの第１容量素子の他端の電位波形は、例えば図２Ｂの波形Ｖ０のようになり、これがセンサ信号検出器２５０によって検出される。
【００３２】
一方、指を接触した状態では、指によって形成される第２容量素子が第１容量素子に直列に追加された形となる。この状態では、第１容量素子と第２容量素子とに対する充放電に伴って、それぞれ電流が流れる。このときの第１容量素子の他端の電位波形は、例えば図２Ｂの波形Ｖ１のようになり、これがセンサ信号検出器２５０によって検出される。このとき、第１容量素子の他端の電位は、第１容量素子と第２容量素子とを流れる電流の値によって定まる分圧電位となる。このため、波形Ｖ１は、非接触状態での波形Ｖ０よりも小さい値となる。したがって、このセンサ検出値Ｒｘと閾値Ｖｔｈと比較することにより、センサに接触しているか否かを判断することが可能となる。
【００３３】
図３は、操作入力パネルのセンサ構成部品とその駆動方法を説明するために示した斜視図であり、センサ用検出電極２４と共通電極２１との配置関係を示している。図３に示す例は一例であり、このようなタイプに限定されるものではない。
【００３４】
この例では、共通電極２１は、第２方向Ｙ（図の左右方向）に延在する複数のストライプ状の電極パタンに分割されている。映像信号書込み時に、電極パタンには、ドライバー２１０によって共通電圧Ｖｃｏｍが順次印加（供給）され、時分割的に線順次走査駆動が行われる。また、センサ駆動時に、各電極パタン（または、複数の電極パタンを組とした各電極パタン群）には、ドライバー２１０によってセンサ駆動信号Ｔｘが順次印加される。本実施形態では、各電極パタン（または、複数の電極パタンを組とした各電極パタン群）に順次印加されるセンサ駆動信号Ｔｘをセンサ駆動信号Ｔｘ１〜Ｔｘｎと称す。Ｔｘの添え字「ｎ」は、各電極パタンにセンサ駆動信号Ｔｘが順次印加される場合には電極パタンの数を表し、複数の電極パタンを組とした各電極パタン群にセンサ駆動信号Ｔｘが順次印加される場合には電極パタン群の数を表す。
【００３５】
一方、センサ用検出電極２４は、共通電極１３の電極パタンの延在方向と直交する方向に延びる複数（ｍ）のストライプ状の電極パタン１〜電極パタンｍから構成されている。センサ用検出電極２４の各電極パタンそれぞれからは、センサ出力Ｒｘが出力され、図１に示したセンサ信号検出器２５０へ入力される。本実施形態では、特に、電極パタン１〜電極パタンｍそれぞれから出力されるセンサ出力Ｒｘを、センサ出力Ｒｘ１〜Ｒｘｍと称す。センサ用検出電極２４からは、センサ駆動信号Ｔｘ１が印加されたタイミングで得られるｍ個のセンサ出力Ｒｘ１〜Ｒｘｍが出力される。同様に、センサ用検出電極２４からは、センサ駆動信号Ｔｘ２が印加されたタイミングで得られるｍ個のセンサ出力Ｒｘ１〜Ｒｘｍが出力される。以降同様に、センサ用検出電極２４からは、センサ駆動信号Ｔｘｎが印加されたタイミングで得られるｍ個のセンサ出力Ｒｘ１〜Ｒｘｍで出力される。
【００３６】
図４には再度、センサ一体表示デバイス１００、データ転送デバイス２００及びアプリケーション動作デバイス３００を示している。
【００３７】
ここでは、データ転送デバイス２００とアプリケーション動作デバイス３００の内部構成例をさらに示している。
【００３８】
データ転送デバイス２００は、大きく分けてドライバー２１０と、センサ信号検出器２５０を有する。ドライバー２１０、センサ信号検出器２５０の名称は、これに限定されるものではなく、表示器ドライバーＩＣ，タッチＩＣと称されてもよい。ブロックは別々に示されているが、一体に構成され、１チップとしてされてもよい。
【００３９】
ドライバー２１０は、アプリケーション動作デバイス３００からグラフィックスデータを受け取る。グラフィックスデータは、時分割されておりブランキング期間を備える。グラフィックスデータは、バッファとしてのビデオランダムアクセスメモリ（ＶＲＡＭ）２１１を介して、タイミング回路及びデジタルアナログ変換器２１２に入力される。なお、ビデオランダムアクセスメモリ（ＶＲＡＭ）２１１は、ドライバー２１０に設けられていなくてもよい。
【００４０】
アナログ量としての表示用信号ＳｉｇＸは、出力増幅器２１３で増幅されて、表示素子に書き込むためにセンサ一体型表示デバイス１００に入力される。タイミング回路及びデジタルアナログ変換器２１２で検出されたブランキングの信号は、センサ信号検出器２５０のタイミング制御器２５１に入力する。このタイミング制御器２５１は、ドライバー２１０内に設けられてもよい、また同期化回路と称されてもよい。
【００４１】
タイミング制御器２５１は、表示用信号ＳｉｇＸの任意の期間（例えばブランキング期間でも良い）にセンサを駆動するための駆動信号Ｔｘを生成する。駆動信号Ｔｘのタイミングについては後述する。この駆動信号Ｔｘは、出力増幅器２１４で増幅されてセンサ一体型表示デバイス１００に入力される。
【００４２】
駆動信号Ｔｘがセンサ用検出電極を駆動することにより、センサ出力Ｒｘがセンサ一体型表示デバイス１００から出力される。センサ出力Ｒｘは、センサ信号検出器２５０内の積分回路２５２に入力する。センサ出力Ｒｘは、積分回路２５２で積分され、積分出力が出力され、そして検出単位期間ごとにスイッチによりリセットされ、Ｒｘのアナログ出力を得ることができる。積分回路２５２の出力は、サンプルホールド及びアナログデジタル変換器２５３に入力され、デジタル化される。デジタル化された検出データは、デジタルフィルタ２５４を介して生データとして、アプリケーション動作デバイス３００に入力する。
【００４３】
検出データは、操作入力の検出データ及び操作入力の非検出データの両方を含む３次元データ（多値のデータ）である。プレゼンス検出器２５５は、例えばアプリケーション動作デバイスがスリープモードにあり、操作面上のタッチ座標の検出が行われていないときに機能する。プレゼンス検出器２５５は、何か接近物があるような場合、接近物を感知し、スリープモードを解除することができる。
【００４４】
アプリケーション動作デバイス３００は、検出データを受け取り解析し、解析結果に応じた前記グラフィックスデータを出力することができる、また、システムの動作機能を切り替えることができる。
【００４５】
アプリケーション動作デバイス３００は、各種のアプリケーションを展開して装置の動作手順の設定、機能切り替え、表示用信号ＳｉｇＸの生成、切り替えなどを実行することができる。センサ信号検出器２５０から出力されたセンサ出力を用いて、座標演算処理を行い操作位置の解析を行うことができる。センサ出力は、イメージデータとして捉えられるので、アプリケーションにより３次元イメージデータが構築されることもできる。３次元イメージデータの登録処理、消去処理、確認処理なども実行できる。登録イメージデータと、取得したイメージデータを比較することにより、動作機能のロック及びロック解除を実行することもできる。
【００４６】
またセンサ出力を取得する場合、アプリケーション動作デバイス３００は、タイミング制御器２５１から出力されるセンサ検出用電極への駆動信号の周波数変更、駆動信号の出力タイミングを行うこともできる。これにより、アプリケーション動作デバイスは、センサ構成部品１５０の駆動領域の切り替え、駆動速度の設定を行うことができる。
【００４７】
また、アプリケーション動作デバイス３００は、センサ出力の検出密度、センサ出力に対する付加データの追加なども実行することができる。
【００４８】
図５Ａには、１表示フレーム中でセンサ一体型表示デバイス１００に入力される表示用信号ＳｉｇＸ及びセンサ駆動信号Ｔｘ（Ｔｘ１−Ｔｘｎ）のタイミングチャートの一例を示している。図５Ｂは、共通電極１３とセンサ用検出電極２４とを含むセンサ構成部品１５０を、共通電圧Ｖｃｏｍとセンサ駆動信号Ｔｘとが２次元スキャンを行う様子を模式的に示している。共通電圧Ｖｃｏｍは、共通電極１３に対して順次印加される。また共通電極１３には、任意の期間にセンサ出力を得るための駆動信号Ｔｘが印加される。
【００４９】
データ伝送デバイス２００は、１表示フレーム中の表示用信号ＳｉｇＸを時分割でセンサ一体表示デバイス１００に入力する。データ伝送デバイス２００は、時分割された表示用信号ＳｉｇＸのブランキング期間それぞれにセンサ駆動信号Ｔｘ１〜Ｔｘｎを挿入するように、センサ駆動信号Ｔｘ１〜Ｔｘｎそれぞれをセンサ一体表示デバイス１００に入力する。
【００５０】
図５Ａに示すような表示用信号ＳｉｇＸ及びセンサ駆動信号Ｔｘ１〜Ｔｘｎのタイミングは、アプリケーション動作デバイス３００が生成する。つまり、アプリケーション動作デバイス（送信部）３００は、図５Ａに示すように表示用信号ＳｉｇＸが時分割でセンサ一体表示デバイス１００に入力されるように、表示用信号ＳｉｇＸの元となるグラフィックスデータを時分割して順次データ伝送デバイス２００に送信する。データ伝送デバイス２００は、時分割されたグラフィックスデータを受信する毎に、時分割されたグラフィックスデータを表示用信号ＳｉｇＸに変換して、センサ一体表示デバイス１０に供給する。アプリケーション動作デバイス（送信部）３００は、図５Ａに示すように時分割された表示用信号ＳｉｇＸのブランキング期間中にセンサ駆動信号Ｔｘ１〜Ｔｘｎをセンサ一体表示デバイス１０に入力させるためのタイミング情報をデータ伝送デバイス２００に送信する。なお、アプリケーション動作デバイス３００は、時分割された表示用信号ＳｉｇＸのブランキング期間のうちどの期間にセンサ駆動信号Ｔｘ１〜Ｔｘｎを挿入するのか任意に決めることができる。データ伝送デバイス２００は、タイミング情報に基づいて、センサ駆動信号Ｔｘ１〜Ｔｘｎそれぞれをセンサ一体表示デバイス１００に入力する。なお、センサ駆動信号Ｔｘは、タイミング制御器２５１、増幅器２１４を介して先に説明した共通電極１３に供給される。タイミング制御器２５１からセンサ駆動信号Ｔｘが出力されるタイミング、周波数などはアプリケーション動作デバイス３００の指令により任意に変更することができる。またタイミング制御器２５１は、センサ信号検出器２５０の積分回路２５２に対してリセットタイミング信号を供給し、サンプルホールド及アナログデジタル変換器２５３、デジタルフィルタ２５４にクロックを供給することができる。
【００５１】
なお、アプリケーション動作デバイス３００は、アプリケーションまたはユーザ設定による動作モード（例えば、検出精度重視、映像表示重視、低消費電力重視など）に応じて、１表示フレーム中でグラフィックスデータを時分割するタイミング、時分割数、センサ駆動信号Ｔｘ１〜Ｔｘｎがセンサ一体表示デバイス１０に供給されるタイミングなどを任意に変更してもよい。アプリケーション動作デバイス３００は、１表示フレーム中に複数回センサ駆動信号Ｔｘ１〜Ｔｘｎを共通電極２１に印加するように設定してもよい。例えば、１表示フレーム中において、センサ駆動信号Ｔｘは、センサ駆動信号Ｔｘ１〜Ｔｘｎ順で共通電極２１に印加された後、再度センサ駆動信号Ｔｘ１〜Ｔｘｎの順で共通電極２１に印加されてもよい。１表示フレーム中に複数回センサ駆動信号Ｔｘ１〜Ｔｘｎが共通電極２１に複数回印加されることで、このようにすることで、１表示フレーム中での検出回数（検出性能）を変えることができる。なお、図５Ａは、時分割されたＳｉｇＸのブランキング期間に１回のセンサ駆動信号Ｔｘが共通電極２１に印加されている例を示しているが、これに限定されるものではない。
【００５２】
図６は、さらに他の実施形態である。携帯端末１は、上記の実施形態では、アプリケーション動作デバイス３００は、グラフィックスデータをデータ伝送デバイス２００と接続する第１のバスに出力するとともに、データ伝送デバイス２００と接続する第２のバスを介してセンサ出力データを受け取っている。しかし、アプリケーション動作デバイス３００は、グラフィックスデータをデータ伝送デバイス２００と接続するバスに出力すると共に、同一バスを介して、受信部でセンサ出力データを受信するようにしてもよい。図６には、センサ出力データを受信するバスと、グラフィックスデータを送出するバスが同一となった例を示している。例えば、アプリケーション動作デバイス３００は、時分割されたグラフィックスデータ（これに対応する表示用信号ＳｉｇＸ）のブランキング期間にセンサ出力データを受信するようにしてもよい。バスの共用ができれば、構成の簡素化が期待できる。なお、図６に示す携帯端末１の他の構成は、先の図１、図４の実施形態と同じであるために、説明は省略する。
【００５３】
図７には、センサ出力の生データの例であり、操作入力が検出されていないときのデータをグラフ化した模式図を示している。図８には、センサ出力の生データの例であり、操作入力が検出されたときのデータをグラフ化した模式図を示している。図７及び図８に示す生データは、上述したセンサ駆動信号Ｔｘ１〜Ｔｘｎそれぞれで得られるセンサ出力Ｒｘ１〜Ｒｘｍに基づいている。
【００５４】
本実施形態によれば、アプリケーション動作デバイス３００は、表示用信号ＳｉｇＸ及びセンサ駆動信号Ｔｘのタイミングを生成することで、データ伝送デバイス２００による表示用信号ＳｉｇＸ及びセンサ駆動信号Ｔｘのタイミングを直接制御できる。そのため、データ伝送デバイス２００は、時分割されたグラフィックスデータを受信する毎に、時分割されたグラフィックスデータを変換した表示用信号ＳｉｇＸをセンサ一体表示デバイス１０に印加し、センサ駆動信号Ｔｘのタイミング情報に基づいて、センサ駆動信号Ｔｘをセンサ一体表示デバイス１０に印加すればよい。したがって、データ転送デバイス２００の処理負担は軽減される。また、データ転送デバイス２００は、時分割されたグラフィックスデータを表示用信号ＳｉｇＸにすぐに変換し、変換した表示用信号ＳｉｇＸをセンサ一体表示デバイス１０に印加するので、グラフィックスデータを蓄積するビデオランダムアクセスメモリ２１１のような大容量メモリを不要としない。さらに、本実施形態によれば、センサ駆動信号を駆動電極（共通電極）に供給する繰り返し周波数を適宜選択することで、携帯端末１において干渉を生じさせることはない。以上のように、本実施形態によれば、タッチの検出タイミングの制御をデータ伝送デバイス２００で行う必要がなく、コストが削減できるとともにタイミング制御の信頼性が向上する。
【００５５】
上記した説明において、各ブロック、及び部品の名称は、記載されたものに限定されるものではない。また、ブロックの単位、部品の単位も上記した単位区切り限定されるものではなく、複合的に表されても良いし、さらに区分されて細かい単位で表されてもよい。用語においても「部」は、「装置」、「器」、「ブロック」及び「モジュール」に相互に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５７】
なお、本実施形態では、アプリケーションプロセッサ４０の構成はハードウエアで実現されてもよく、ソフトウェアで実現されてもよい。
【００５８】
なお、上記の説明では、センサ付き表示デバイスが表示デバイスとして液晶表示デバイスを備えた構成について説明したが、有機エレクトロルミネッセンス表示デバイスなど他の表示デバイスを備えた構成であっても良い。また、図２Ａなどに示した例では、液晶表示デバイスは、画素電極ＰＥ及び共通電極１３の双方がアレイ基板に備えられた構成、すなわち、ＩＰＳ（Ｉｎ−Ｐｌａｎｅ  Ｓｗｉｔｃｈｉｎｇ）モードやＦＦＳ（Ｆｒｉｎｇｅ  Ｆｉｅｌｄ  Ｓｗｉｔｃｈｉｎｇ）モードなどの主として横電界（フリンジ電界も含む）を利用する構成について説明したが、液晶表示デバイスの構成はこれらに限らない。少なくとも画素電極１０はアレイ基板に備えられ、共通電極１３はアレイ基板及び対向基板のいずれに備えられていても良い。ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの主として縦電界を利用する構成の場合、共通電極ＣＥは対向基板ＣＴに備えられる。つまり、共通電極１３が配置される位置は、ＴＦＴ基板１１を構成する絶縁基板と対向基板ＣＴを構成する絶縁基板との間であれば良い。
【符号の説明】
【００５９】
１・・・携帯端末、１００・・・センサ一体型表示デバイス、２００・・・データ転送デバイス、３００・・・アプリケーション動作デバイス、２１０・・・ドライバー、２５０・・・センサ信号検出器。
【図１】
2014199495.tif 000003
【図２Ａ】
2014199495.tif 000004
【図２Ｂ】
2014199495.tif 000005
【図３】
2014199495.tif 000006
【図４】
2014199495.tif 000007
【図５Ａ】
2014199495.tif 000008
【図５Ｂ】
2014199495.tif 000009
【図６】
2014199495.tif 000010
【図７】
2014199495.tif 000011
【図８】
2014199495.tif 000012